【事件の表示】
　特願２０１３−５５７７４４「断片化されたワイヤレス・スペクトルの仮想集約」拒絶査定不服審判事件〔平成２４年１１月２９日国際公開，ＷＯ２０１２／１６１７８４，平成２６年　５月２２日国内公表，特表２０１４−５１２７３５，請求項の数（８）〕について，次のとおり審決する。
【結　論】
　原査定を取り消す。
　本願の発明は，特許すべきものとする。
【理　由】
第１　手続の経緯
　本願は，２０１２年２月２４日（パリ条約による優先権主張外国庁受理　２０１１年３月４日　米国）を国際出願日とする出願であって，平成２６年１０月２１日付けで拒絶理由が通知され，平成２７年４月２３日付けで手続補正がされ，同年７月１７日付けで拒絶査定（以下，「原査定」という。）がされ，これに対し，同年１１月２４日に拒絶査定不服審判が請求され，その後，当審において平成２８年８月２３日付けで拒絶理由が通知され，同年１１月２５日付けで手続補正がされたものである。
第２　本願発明
　本願の請求項１−８に係る発明は，平成２８年１１月２５日付けの手続補正で補正された特許請求の範囲の請求項１−８に記載された事項により特定されるものと認められる。
　本願の請求項１に係る発明（以下，「本願発明」という。）は以下のとおりである。
「入来するある特定のユーザのデータ・ストリームを複数の出力されるサブストリームに分割するステップであって，該出力されるサブストリームのそれぞれは，複数のスペクトル・フラグメントのそれぞれのスペクトル・フラグメントに割り当てられ，且つ該それぞれのスペクトル・フラグメントの帯域幅と比例するデータ転送速度を有し，前記複数のスペクトル・フラグメントの内の少なくとも１つのスペクトル・フラグメントは，既に他のユーザに割り当てられ，前記出力されるサブストリームを割り当てられないスペクトル・フラグメントによって前記複数のスペクトル・フラグメントの他のいずれのスペクトル・フラグメントからも分離される不連続スペクトル・ブロックである，ステップ（４２０）と，
　前記それぞれのスペクトル・フラグメントを介しての伝送に適合されている変調された信号を提供するために，前記出力されるサブストリームのそれぞれを変調するステップ（４３０）と，
　前記変調された信号を少なくとも１つのキャリア信号のそれぞれのスペクトル・フラグメントへとアップコンバートするステップ（４４０）と，
を含み，
　前記アップコンバートされた変調済みの信号内に含まれるサブストリームは，前記データ・ストリームを回復するために，受信機で復調および組み合わせられるように適合されている，
方法。」
第３　原査定の理由について
１　原査定の理由の概要
　原査定の理由は，請求項１−１０に係る発明は，引用文献１−３に記載された発明に基いて当業者が容易に発明をすることができたものであるから，特許法第２９条第２項の規定により特許を受けることができないというものである。
＜引用文献等一覧＞
１．特開２０１０−２３２８５７号公報
２．特開２００９−２９０８９９号公報（周知技術を示す文献）
３．欧州特許出願公開第２０９３９５７号明細書（周知技術を示す文献）
（［当審注］：平成２８年１１月２５日付けの手続補正により，上記「請求項１−１０」のうち，請求項２，８は削除された。）
２　原査定の理由の判断
（１）引用文献に記載された事項
［引用発明］
　原査定の拒絶の理由に引用された引用文献１（特開２０１０−２３２８５７号公報）には，以下の事項が記載されている。
ア　「【００２７】
　図１は，この発明の実施の形態による通信システムの概略図である。図１を参照して，この発明の実施の形態による通信システム１０は，送信機１と，受信機２とを備える。送信機１および受信機２は，無線通信空間に配置される。なお，図１においては，図示されていないが，各種の無線システムによって無線通信を行なう他の通信装置が存在している。
【００２８】
　
送信機１は，後述する方法によって，他の通信装置がデータの送信に用いていない無線通信空間における空き通信帯域に送信データを分割して受信機２へ送信する。
【００２９】
　受信機２は，送信機１から送信データを受信し，その受信した送信データを後述する方法によって処理する。
【００３０】
　図２は，図１に示す送信機１の構成を示す概略図である。図２を参照して，送信機１は，変調器１１と，直列／並列変換器１２と，フーリエ変換器１３と，マッピング器１４と，検出手段１５と，逆フーリエ変換器１６と，畳み込みフィルタ１７と，並列／直列変換器１８と，送信手段１９と，アンテナ２０とを含む。
【００３１】
　
変調器１１は，デジタル信号からなる送信データを受け，その受けた送信データを所定の方式に従って周波数変調する。
【００３２】
　直列／並列変換器１２は，変調器１１から送信スペクトラムを受け，その受けた送信スペクトラムをＮ（Ｎは２以上の整数）個のシンボル毎にブロック化してＭ（奇数からなる整数）個のブロックを生成し，その生成したＭ個のブロックを直列配列から並列配列に変換し，並列配列からなるＭ個のブロックをフーリエ変換器１３へ出力する。
【００３３】
　フーリエ変換器１３は，並列配列されたＭ個のブロックを直列／並列変換器１２から受け，その受けたＭ個のブロックの各々に含まれるＮ個のシンボルを高速フーリエ変換する処理をＭ個のブロックに対して並列に行なう。そして，フーリエ変換器１３は，Ｍ個のブロックに対する高速フーリエ変換処理の結果である信号Ｄをマッピング器１４へ出力する。この信号Ｄは，Ｍ個の分割送信スペクトラムブロックからなり，Ｍ個の分割送信スペクトラムブロックの各々は，Ｎ個の周波数成分からなる。
【００３４】
　
マッピング器１４は，フーリエ変換器１３からＭ個の分割送信スペクトラムブロックを受け，無線通信空間における複数の空き通信帯域を検出手段１５から受ける。そして，マッピング器１４は，複数の空き通信帯域に基づいて，Ｍ個の分割送信スペクトラムブロックの各々に含まれるＮ個の周波数成分を複数の空き通信帯域のうちのできる限り少ない個数からなる空き通信帯域に分割するためのマッピング行列＜Ｐ＞を生成する。
【００３５】
　なお，この明細書においては，表記＜Ａ＞は，行列Ａを表すものとする。
【００３６】
　マッピング器１４は，マッピング行列＜Ｐ＞を生成すると，その生成したマッピング行列＜Ｐ＞を用いてＭ個の分割送信スペクトラムブロックの各々に含まれるＮ個の周波数成分を複数の空き通信帯域のうちのできる限り少ない個数からなる空き通信帯域に分割する。そして，マッピング器１４は，その分割結果である信号Ｓを逆フーリエ変換器１６へ出力する。この信号Ｓは，Ｍ個のマッピングブロックからなり，Ｍ個のマッピングブロックの各々は，ＬＮ（Ｌは２以上の２のべき乗からなる整数）個の周波数成分からなる。
【００３７】
　
検出手段１５は，常時，または所定の時間間隔により定期的に，アンテナ２０を介してキャリアセンスし，無線通信空間における複数の空き通信帯域を検出する。そして，検出手段１５は，その検出した複数の空き通信帯域をマッピング器１４へ出力する。
【００３８】
　
逆フーリエ変換器１６は，マッピング器１４から信号Ｓを受け，その受けた信号Ｓを構成するＭ個のマッピングブロックの各々に含まれるＬＮ個の周波数成分を逆高速フーリエ変換して時間軸データに変換し
【００３９】
　畳み込みフィルタ１７は，逆フーリエ変換器１６から受けた信号ｓに対して後述する方法によって畳み込み演算を行ない，その演算結果を並列／直列変換器１８へ出力する。
【００４０】
　並列／直列変換器１８は，畳み込みフィルタ１７から受けた演算結果を並列配列から直列配列に変換し，直列配列からなるベースバンド信号を送信手段１９へ出力する。
【００４１】
　
送信手段１９は，並列／直列変換器１８から受けたベースバンド信号をデジタル信号からアナログ信号に変換し，アナログ信号からなるベースバンド信号を所定の周波数帯に周波数変換し，アンテナ２０を介して受信機２へ送信する。
【００４２】
　図３は，図１に示す受信機２の構成を示す概略図である。図３を参照して，受信機２は，アンテナ２１と，ＡＤ変換器２２と，直列／並列変換器２３と，畳み込みフィルタ２４と，フーリエ変換器２５と，検出手段２６と，デマッピング器２７と，逆フーリエ変換器２８と，シンボル判定器２９とを含む。
【００４３】
　アンテナ２１は，送信機１からベースバンド信号を受け，その受けたベースバンド信号をＡＤ変換器２２へ出力する。
【００４４】
　ＡＤ変換器２２は，アンテナ２１からベースバンド信号を受け，その受けたベースバンド信号をアナログ信号からデジタル信号に変換し，その変換したデジタル信号からなるベースバンド信号を直列／並列変換器２３へ出力する。
【００４５】
　直列／並列変換器２３は，ＡＤ変換器２２から受けたベースバンド信号を直列配列からＬＮ個の並列配列に変換し，その変換したＬＮ個の並列配列からなるベースバンド信号を畳み込みフィルタ２４へ出力する。
【００４６】
　畳み込みフィルタ２４は，直列／並列変換器２３から受けたＬＮ個の並列配列からなるベースバンド信号に対して畳み込み演算を行ない，その演算結果をフーリエ変換器２５へ出力する。
【００４７】
　フーリエ変換器２５は，畳み込みフィルタ２４による演算結果に対して高速フーリエ変換を行ない，周波数成分からなるベースバンド信号をデマッピング器２７へ出力する。
【００４８】
　検出手段２６は，常時，アンテナ２１を介してキャリアセンスし，無線通信空間における複数の空き通信帯域を検出する。そして，検出手段２６は，その検出した複数の空き通信帯域をデマッピング器２７へ出力する。
【００４９】
　デマッピング器２７は，検出手段２６から受けた複数の空き通信帯域に基づいてマッピング器１４と同じ方法によってマッピング行列＜Ｐ＞を生成し，その生成したマッピング行列＜Ｐ＞の転置行列であるデマッピング行列＜Ｐ＞Ｔを演算する。そして，デマッピング器２７は，フーリエ変換器２５から受けたベースバンド信号に対して，後述する方法によって周波数選択性伝搬路に対する等化を周波数軸で行なうとともに，その等化後の信号にデマッピング行列＜Ｐ＞Ｔを乗算してＬＮ個の周波数成分からなる信号をＮ個の周波数成分からなる信号に変換する。その後，デマッピング器２７は，Ｌ個の周波数成分からなる信号を逆フーリエ変換器２７へ出力する。
【００５０】
　逆フーリエ変換器２８は，デマッピング器２７から受けた信号に対して逆高速フーリエ変換を行ない，その変換後の信号をシンボル判定器２９へ出力する。
【００５１】
　シンボル判定器２９は，逆フーリエ変換器２８からの信号を判定して受信データを取得する。
【００５２】
　
図４は，運用周波数帯の概念図である。図４を参照して，運用周波数帯は，２．４ＧＨｚ帯等の周波数帯からなる。そして，運用周波数帯に含まれる通信帯域Ｂ１〜Ｂ４は，それぞれ，異なる無線システムによって使用されており，通信帯域Ｂ１〜Ｂ４の隙間には，空き通信帯域ＥＢ１〜ＥＢ５が存在する。
【００５３】
　
送信データの帯域幅をＷとすると，空き通信帯域ＥＢ１〜ＥＢ５は，それぞれ，帯域幅Ｗよりも狭い帯域幅Ｗ１〜Ｗ５を有する。従って，空き通信帯域ＥＢ１〜ＥＢ５のうちの１つの空き通信帯域（空き通信帯域ＥＢ１〜ＥＢ５のいずれか）を用いて帯域幅Ｗの送信データを送信できない。
【００５４】
　
しかし，空き通信帯域ＥＢ１〜ＥＢ５の帯域幅Ｗ１〜Ｗ５の合計は，帯域幅Ｗよりも大きい。従って，空き通信帯域ＥＢ１〜ＥＢ５の帯域幅Ｗ１〜Ｗ５のうち，帯域幅の合計が帯域幅Ｗ以上になる空き通信帯域（空き通信帯域ＥＢ１〜ＥＢ５の少なくとも２個以上の空き通信帯域）を用いれば，帯域幅Ｗの送信データを送信できる。
【００５５】
　そこで，この発明の実施の形態においては，送信機１は，空き通信帯域ＥＢ１〜ＥＢ５から選択したできる限り少ない個数からなる空き通信帯域に送信データを分割して受信機２へ送信する。
（中略）
【００６１】
　図６は，マッピングおよび畳み込みの概念図である。また，図７は，図２に示す逆フーリエ変換器１６，畳み込みフィルタ１７および並列／直列変換器１８における動作を説明するための概念図である。
【００６２】
　図６を参照して，マッピング器１４は，マッピング行列＜Ｐ＞を用いて各ブロックＢＬＫ＿１＿ｆ〜ＢＬＫ＿Ｍ＿ｆのＮ個の周波数成分ＦＳＳを周波数成分ＦＳＳＭにマッピングする。
（中略）
【００７４】
　
マッピング器１４は，検出手段１５から受けた複数の空き通信帯域および上記の制限（ａ）〜（ｃ）に基づいて，式（１）に示すマッピング行列＜Ｐ＞を生成し，その生成したマッピング行列＜Ｐ＞をフーリエ変換器１３から受けた各ブロックＢＬＫ＿ｍ＿ｆ（ｍは１≦ｍ≦Ｍを満たす整数）の周波数成分ＦＳＳに乗算することにより，周波数成分ＦＳＳ１〜ＦＳＳ４を周波数成分ＦＳＳＭ１〜ＦＳＳＭ４へマッピングする。
【００７５】
　即ち，マッピング器１４は，送信スペクトラムの離散的な複数の周波数成分の順序を維持し，かつ，複数の周波数成分ができる限り連続するように送信スペクトラムを複数の空き通信帯域に含まれる空き通信帯域に分割することにより送信スペクトラムを４個の空き通信帯域に分割する。この場合，４個の空き通信帯域は，複数の空き通信帯域から帯域幅が広い順に選択された空き通信帯域からなる。」（６〜９ページ，１０〜１１ページ）
イ　「【０１２３】
　図９は，図１に示す送信機１の概念図である。また，図１０は，送信信号の概念図である。図９を参照して，送信機１は，概念的には，バンドパスフィルタＢＰＦ１〜ＢＰＦ４と，乗算器ＭＰ１〜ＭＰ４と，加算器ＳＵＭ１とを備える。
【０１２４】
　バンドパスフィルタＢＰＦ１〜ＢＰＦ４の各々は，隣接チャネル（隣接する周波数帯域）へのサイドローブが低いバンドパスフィルタからなる。そして，バンドパスフィルタＢＰＦ１〜ＢＰＦ４は，無線通信空間における複数の空き通信帯域のうちのできる限り少ない個数の空き通信帯域に送信スペクトラムを分割するバンドパスフィルタである。
【０１２５】
　より具体的には，バンドパスフィルタＢＰＦ１は，変調シンボルａｎを用いて表される送信信号Σδ（ｔ−ｎＴｓ）ａｎを受け，その受けた送信信号Σδ（ｔ−ｎＴｓ）ａｎを伝達関数Ｈ１（ω）によって帯域分割し，その帯域分割した分割送信スペクトラムＤＶＳ１を乗算器ＭＰ１へ出力する。
【０１２６】
　また，バンドパスフィルタＢＰＦ２は，送信信号Σδ（ｔ−ｎＴｓ）ａｎを受け，その受けた送信信号Σδ（ｔ−ｎＴｓ）ａｎを伝達関数Ｈ２（ω）によって帯域分割し，その帯域分割した分割送信スペクトラムＤＶＳ２を乗算器ＭＰ２へ出力する。
【０１２７】
　更に，バンドパスフィルタＢＰＦ３は，送信信号Σδ（ｔ−ｎＴｓ）ａｎを受け，その受けた送信信号Σδ（ｔ−ｎＴｓ）ａｎを伝達関数Ｈ３（ω）によって帯域分割し，その帯域分割した分割送信スペクトラムＤＶＳ３を乗算器ＭＰ３へ出力する。
【０１２８】
　更に，バンドパスフィルタＢＰＦ４は，送信信号Σδ（ｔ−ｎＴｓ）ａｎを受け，その受けた送信信号Σδ（ｔ−ｎＴｓ）ａｎを伝達関数Ｈ４（ω）によって帯域分割し，その帯域分割した分割送信スペクトラムＤＶＳ４を乗算器ＭＰ４へ出力する。
【０１２９】
　この場合，バンドパスフィルタＢＰＦ１〜ＢＰＦ４は，上述した畳み込み演算によってそれぞれ分割送信スペクトラムＤＶＳ１〜ＤＶＳ４の帯域を制限する。
【０１３０】
　乗算器ＭＰ１は，バンドパスフィルタＢＰＦ１から受けた分割送信スペクトラムＤＶＳ１にｅｊω１ｔを乗算し，その乗算結果である分割送信スペクトラムＤＶＳ１’（図１０参照）を加算器ＳＵＭ１へ出力する。
【０１３１】
　また，乗算器ＭＰ２は，バンドパスフィルタＢＰＦ２から受けた分割送信スペクトラムＤＶＳ２にｅｊω２ｔを乗算し，その乗算結果である分割送信スペクトラムＤＶＳ２’（図１０参照）を加算器ＳＵＭ１へ出力する。
【０１３２】
　更に，乗算器ＭＰ３は，バンドパスフィルタＢＰＦ３から受けた分割送信スペクトラムＤＶＳ３にｅｊω３ｔを乗算し，その乗算結果である分割送信スペクトラムＤＶＳ３’（図１０参照）を加算器ＳＵＭ１へ出力する。
【０１３３】
　更に，乗算器ＭＰ４は，バンドパスフィルタＢＰＦ４から受けた分割送信スペクトラムＤＶＳ４にｅｊω４ｔを乗算し，その乗算結果である分割送信スペクトラムＤＶＳ４’（図１０参照）を加算器ＳＵＭ１へ出力する。
【０１３４】
　このように，乗算器ＭＰ１〜ＭＰ４は，それぞれ，分割送信スペクトラムＤＶＳ１〜ＤＶＳ４の周波数を周波数ω１／（２π）〜ω４／（２π）だけ変換して分割送信スペクトラムＤＶＳ１’〜ＤＶＳ４’（図１０参照）を加算器ＳＵＭ１へ出力する。
【０１３５】
　乗算器ＭＰ１〜ＭＰ４によって分割送信スペクトラムＤＶＳ１〜ＤＶＳ４の周波数を変換するのは，分割送信スペクトラムＤＶＳ１〜ＤＶＳ４が隣接する分割送信スペクトラムとの間でオーバーラップしないようにするためである。
【０１３６】
　加算器ＳＵＭ１は，乗算器ＭＰ１〜ＭＰ４から４個の分割送信スペクトラムＤＶＳ１’〜ＤＶＳ４’を受け，その受けた４個の分割送信スペクトラムＤＶＳ１’〜ＤＶＳ４’を直列に配列してベースバンド信号を生成する。
【０１３７】
　この場合，伝達関数Ｈ１（ω）〜Ｈ４（ω）の通過帯域の合計は，シンボル周期Ｔｓに対する通常の連続スペクトラムのシングルキャリア変調の帯域幅Ｗに等しく，次式を満たす。そして，伝達関数Ｈ１（ω）〜Ｈ４（ω）の各々は，ルートコサインロールオフ特性を有する。
【０１３８】
【０１３９】
　図１１は，図１に示す受信機２の概念図である。また，図１２は，整合フィルタの出力信号の概念図である。図１１を参照して，受信機２は，概念的には，整合フィルタＭＴＨＦ１〜ＭＴＨＦ４と，乗算器ＭＰ５〜ＭＰ６と，加算器ＳＵＭ２とを備える。
【０１４０】
　整合フィルタＭＴＨＦ１〜ＭＴＨＦ４の各々は，上述した方法によるオーバーラップ周波数領域等化を行う整合フィルタからなる。
【０１４１】
　そして，整合フィルタＭＴＨＦ１は，受信信号を受け，その受けた受信信号のうち，分割受信スペクトラムＤＶＳ１”（図１２の（ａ）参照）だけを乗算器ＭＰ５へ通過させる。
【０１４２】
　また，整合フィルタＭＴＨＦ２は，受信信号を受け，その受けた受信信号のうち，分割受信スペクトラムＤＶＳ２”（図１２の（ａ）参照）だけを乗算器ＭＰ６へ通過させる。
【０１４３】
　更に，整合フィルタＭＴＨＦ３は，受信信号を受け，その受けた受信信号のうち，分割受信スペクトラムＤＶＳ３”（図１２の（ａ）参照）だけを乗算器ＭＰ７へ通過させる。
【０１４４】
　更に，整合フィルタＭＴＨＦ４は，受信信号を受け，その受けた受信信号のうち，分割受信スペクトラムＤＶＳ４”（図１２の（ａ）参照）だけを乗算器ＭＰ８へ通過させる。
【０１４５】
　この場合，整合フィルタＭＴＨＦ１〜ＭＴＨＦ４は，上述したオーバーラップ周波数領域等化によって周波数軸で等化を行う。
【０１４６】
　乗算器ＭＰ５は，整合フィルタＭＴＨＦ１から受けた分割受信スペクトラムＤＶＳ１”にｅ−ｊω１ｔを乗算し，その乗算結果である分割受信スペクトラムＤＶＳ１’’’（図１２の（ｂ）参照）を加算器ＳＵＭ２へ出力する。
【０１４７】
　また，乗算器ＭＰ６は，整合フィルタＭＴＨＦ２から受けた分割受信スペクトラムＤＶＳ２”にｅ−ｊω２ｔを乗算し，その乗算結果である分割受信スペクトラムＤＶＳ２’’’（図１２の（ｂ）参照）を加算器ＳＵＭ２へ出力する。
【０１４８】
　更に，乗算器ＭＰ７は，整合フィルタＭＴＨＦ３から受けた分割受信スペクトラムＤＶＳ３”にｅ−ｊω３ｔを乗算し，その乗算結果である分割受信スペクトラムＤＶＳ３’’’（図１２の（ｂ）参照）を加算器ＳＵＭ２へ出力する。
【０１４９】
　更に，乗算器ＭＰ８は，整合フィルタＭＴＨＦ４から受けた分割受信スペクトラムＤＶＳ４”にｅ−ｊω４ｔを乗算し，その乗算結果である分割受信スペクトラムＤＶＳ４’’’（図１２の（ｂ）参照）を加算器ＳＵＭ２へ出力する。
【０１５０】
　このように，乗算器ＭＰ５〜ＭＰ８は，それぞれ，分割受信スペクトラムＤＶＳ１”〜ＤＶＳ４”の周波数を周波数−ω１〜−ω４だけ変換して分割受信スペクトラムＤＶＳ１’’’〜ＤＶＳ４’’’（図１２の（ｂ）参照）を加算器ＳＵＭ２へ出力する。
【０１５１】
　乗算器ＭＰ５〜ＭＰ８によって分割受信スペクトラムＤＶＳ１”〜ＤＶＳ４”の周波数を変換するのは，送信機１においてオーバーラップしないように変換された周波数を元に戻すためである。
【０１５２】
　加算器ＳＵＭ２は，乗算器ＭＰ５〜ＭＰ８から４個の分割受信スペクトラムＤＶＳ１’’’〜ＤＶＳ４’’’を受け，その受けた４個の分割受信スペクトラムＤＶＳ１’’’〜ＤＶＳ４’’’を直列に配列して受信ベースバンド信号を得る。
【０１５３】
　なお，図９に示す送信機１においては，４個のバンドパスフィルタＢＰＦ１〜ＢＰＦ４が示されているが，これは，送信スペクトラムを４個の空き通信帯域へ分割するからであり，送信スペクトラムを４個以外の空き通信帯域へ分割する場合，送信機１は，送信スペクトラムの分割数に応じたバンドパスフィルタおよび乗算器を備える。
【０１５４】
　また，同様の理由により，図１１に示す受信機２も，送信スペクトラムの分割数に応じた整合フィルタおよび乗算器を備える。」（１７〜１９ページ）
　
　上記ア，イの記載及び図面並びに当該技術分野の技術常識を考慮すると，引用文献１には
「送信データを変調し，フーリエ変換し，複数に分割して複数の不連続な空き通信帯域にマッピングし，逆フーリエ変換し，所定の周波数帯に周波数変換し，アンテナを介して受信機に送信する送信機。」
の発明（以下，「引用発明」という。）が記載されていると認められる。
［周知事項］
　同じく原査定の拒絶の理由に引用された引用文献２（特開２００９−２９０８９９号公報）には，以下の事項が記載されている。
ウ　「【０００５】
　図７は送信側に用いられるＯＦＤＭ変調装置の構成を示すブロック図である。ＯＦＤＭ変調装置には，送信データが入力される。この送信データは，シリアル／パラレル変換部２０１に供給されて，低速な複数の伝送シンボルからなるデータに変換される。つまり，伝送情報を分割して，複数の低速なデジタル信号を生成する。このパラレルデータは，逆高速フーリエ変換（ＩＦＦＴ）部２０２に供給される。
【０００６】
　
パラレルデータは，ＯＦＤＭを構成する各サブキャリアに割り当てられ，周波数領域においてマッピングされる。ここで，各サブキャリアに対してＢＰＳＫ，ＱＰＳＫ，１６ＱＡＭ，６４ＱＡＭ等の変調が施される。
　同じく原査定の拒絶の理由に引用された引用文献３（欧州特許出願公開第２０９３９５７号明細書）には，以下の事項が記載されている。
エ　「[0037]　Figure 2  shows the process of concealing errors during transmission of compressed video data on an OFDM channel in an embodiment of the present invention. The process includes the following steps:
[0038]　Step 201: Compressed video data is received.
[0039]　Step 202: The received compressed video data is split into slice structures.
[0040]　The method of splitting a slice structure is defined in the existing video compression standards. In this step, the slice structure of the compressed video data may be split according to the video compression standards.
[0041]　Step 203: It is determined whether the conditions of updating the slice allocation rule are currently satisfied. If satisfied, the process proceeds to 204; otherwise, step 205 is performed.
[0042]　Step 204: Adjacent slice structures are allocated to non-adjacent OFDM sub-channels or sub-channel groups according to the slice allocation rule which is preset and different from the rule applied to the previous video frame. The process proceeds to step 206.
[0043]　Step 205: Adjacent slice structures are allocated to non-adjacent OFDM sub-channels or sub-channel groups according to the slice allocation rule which is the same as the rule applied to the previous video frame.
[0044]　Generally, the total number of OFDM sub-channels (M) is greater than the total number of slice structures (N). Suppose that  K=[M / N]（［当審注］：表記上の理由で，床関数の記号を「［　］」で表す。）, namely, K is a result of rounding down the quotient of M divided by N, then K is the quantity of OFDM sub-channels contained in each OFDM sub-channel group, and each OFDM sub-channel group corresponds to a slice structure; if P=M%N and P is not 0, then the control data (such as frequency domain interleaving and time domain interleaving control data) is transmitted on the remaining P OFDM sub-channels. If P=0, the control data together with a slice structure is allocated to an OFDM sub-channel.
[0045]　Step 206: Channel encoding, space domain interleaving and QAM mapping are performed for the slice structure allocated to each OFDM sub-channel or sub-channel group.
[0046]　Step 207: A pilot signal is inserted onto the OFDM sub-channel; IFFT and guard interval insertion are performed for the data obtained from mapping of QAM and the inserted pilot signal to obtain OFDM signals, and the OFDM signals are sent to the receiving end.
[0047]　The spatial domain interleaving method used in this step is the same as the spatial domain interleaving method in the prior art.
[0048]　Step 208: After receiving the OFDM signal, the receiving end removes the guard interval, performs Fast Fourier Transform (FFT), performs channel correction and channel decoding according to the inserted pilot signal, and obtains the original slice structure on each OFDM sub-channel or sub-channel group.
[0049]　Step 209: The receiving end decompresses the compressed video data composed of slice structures, and detects errors; if any error is detected on a slice structure, the receiving end conceals the error of the slice structure according to the successfully received slice structure which is chronologically or spatially related to the erroneous slice structure.」（２〜３葉目）
（［当審仮訳］：
[0037]　図２は，本発明の一実施形態における，ＯＦＤＭチャネル上の圧縮ビデオデータの送信中にエラーを隠蔽するプロセスを示す。プロセスには次のステップが含まれる。
[0038]　ステップ２０１：圧縮されたビデオデータが受信される。
[0039]　ステップ２０２：受信した圧縮ビデオデータをスライス構造に分割する。
[0040]　スライス構造を分割する方法は，既存のビデオ圧縮規格で定義されている。このステップでは，圧縮ビデオデータのスライス構造をビデオ圧縮規格に従って分割することができる。
[0041]　ステップ２０３：スライス割当ルールを更新する条件が現在満たされているかどうかを判定する。満たされている場合，プロセスは２０４に進む。そうでなければ，ステップ２０５が実行される。
[0042]　ステップ２０４：前のビデオフレームに適用されたルールとは異なる事前設定されたスライス割り当てルールに従って，隣接するスライス構造が隣接しないＯＦＤＭサブチャネル又はサブチャネルグループに割り当てられる。プロセスはステップ２０６に進む。
[0043]　ステップ２０５：隣接するスライス構造は，隣接するＯＦＤＭサブチャネル又はサブチャネルグループに，前のビデオフレームに適用された規則と同じスライス割り当て規則に従って割り当てられる。
[0044]　一般に，ＯＦＤＭサブチャネルの総数（Ｍ）は，スライス構造の総数（Ｎ）より大きい。 Ｋ＝［Ｍ／Ｎ］であると仮定すると，ＫはＭをＮで割った商を切り捨てた結果であり，Ｋは各ＯＦＤＭサブチャネルグループに含まれるＯＦＤＭサブチャネルの量であり，各ＯＦＤＭサブチャネルグループはスライス構造に対応する。Ｐ＝Ｍ％ＮかつＰが０でない場合，残りのＰ個のＯＦＤＭサブチャネル上で制御データ（周波数領域インターリーブ及び時間領域インターリーブ制御データ等）が送信される。Ｐ＝０の場合，制御データはスライス構造とともにＯＦＤＭサブチャネルに割り当てられる。
[0045]　ステップ２０６：
各ＯＦＤＭサブチャネル又はサブチャネルグループに割り当てられたスライス構造に対して，チャネル符号化，空間ドメインインターリーブ及びＱＡＭマッピングが実行される。
[0046]　ステップ２０７：パイロット信号がＯＦＤＭサブチャネルに挿入される。ＯＦＤＭ信号を得るために，ＱＡＭと挿入されたパイロット信号とのマッピングから得られたデータに対して，ＩＦＦＴ及びガードインターバル挿入を行い，ＯＦＤＭ信号を受信側に送る。
[0047]　このステップで使用される空間ドメインインターリービング方法は，従来技術における空間ドメインインターリービング方法と同じである。
[0048]　ステップ２０８：ＯＦＤＭ信号を受信した受信側は，ガードインターバルを除去し，高速フーリエ変換（ＦＦＴ）を行い，挿入されたパイロット信号に基づいてチャネル訂正及びチャネル復号を行い，各ＯＦＤＭサブチャネル又はサブチャネルグループ上で元のスライス構造を取得する 。
[0049]　ステップ２０９：受信側は，スライス構造からなる圧縮ビデオデータを解凍し，エラーを検出する。スライス構造上に何らかのエラーが検出された場合，受信端は，誤ったスライス構造に時系列又は空間的に関係する正常に受信されたスライス構造に従ってスライス構造のエラーを隠蔽する。）
　上記ウ，エの記載及び当該技術分野の技術常識を考慮すると，
「ＯＦＤＭを用いた送信において，送信信号を分割した後に，変調する。」ことは周知であると認められる。
（２）対比
　本願発明と引用発明とを対比すると，
ア　引用発明は，送信データを受信機に送信する送信機であるから，当該「送信データ」は，「入来するある特定のユーザ」の送信データといえる。そして，本願発明の「複数の出力されるサブストリーム」と，引用発明の「複数に分割された」ものは，分割されたデータである点で共通しており，これを「サブデータ」と称することができる。
イ　引用発明の「複数の」「通信帯域」は「複数のスペクトル・フラグメント」といえる。そして，引用発明の「マッピング」は，キャリアセンスに基づくものであることに鑑みれば，既に他のユーザに割り当てられた通信帯域にはマッピング，すなわち，通信帯域の割り当てがなされないことは明らかである。したがって，本願発明の「・・・複数の出力されるサブストリームに分割するステップであって，該出力されるサブストリームのそれぞれは，複数のスペクトル・フラグメントのそれぞれのスペクトル・フラグメントに割り当てられ，且つ該それぞれのスペクトル・フラグメントの帯域幅と比例するデータ転送速度を有し，前記複数のスペクトル・フラグメントの内の少なくとも１つのスペクトル・フラグメントは，既に他のユーザに割り当てられ，前記出力されるサブストリームを割り当てられないスペクトル・フラグメントによって前記複数のスペクトル・フラグメントの他のいずれのスペクトル・フラグメントからも分離される不連続スペクトル・ブロックである，ステップ（４２０）」と，引用発明の「・・・複数に分割して複数の不連続な空き通信帯域にマッピング」することとは，下記の相違点１〜３は別として，「入来するある特定のユーザのデータを複数の出力されるサブデータに分割するステップであって，該サブデータのそれぞれは，複数のスペクトル・フラグメントのそれぞれのスペクトル・フラグメントに割り当てられ，前記複数のスペクトル・フラグメントの内の少なくとも１つのスペクトル・フラグメントは，既に他のユーザに割り当てられ，前記出力されるサブデータを割り当てられないスペクトル・フラグメントによって前記複数のスペクトル・フラグメントの他のいずれのスペクトル・フラグメントからも分離される不連続スペクトル・ブロックである，ステップ」の点で共通する。
ウ　両者は，「変調するステップ」，「キャリア信号のスペクトル・フラグメントへと周波数コンバートするステップ」を備える点で共通している。
エ　両者は，「周波数コンバートされた信号は，前記データを回復するために，受信機で復調および組み合わせられるように適合されている」といえる点で共通している。
　したがって，本願発明と引用発明とは，
「入来するある特定のユーザのデータを複数の出力されるサブデータに分割するステップであって，該サブデータのそれぞれは，複数のスペクトル・フラグメントのそれぞれのスペクトル・フラグメントに割り当てられ，前記複数のスペクトル・フラグメントの内の少なくとも１つのスペクトル・フラグメントは，既に他のユーザに割り当てられ，前記出力されるサブデータを割り当てられないスペクトル・フラグメントによって前記複数のスペクトル・フラグメントの他のいずれのスペクトル・フラグメントからも分離される不連続スペクトル・ブロックである，ステップと，
　変調するステップと，
　キャリア信号のスペクトル・フラグメントへと周波数コンバートするステップと，
を含み，
　前記周波数コンバートされた信号は，前記データを回復するために，受信機で復調および組み合わせられるように適合されている，
方法。」
の点で一致している。
　他方，本願発明と引用発明とは，以下の点で相違する。
（相違点１）
　一致点の「データ」，「サブデータ」に関し，本願発明は，変調前の「データ・ストリーム」，「サブストリーム」であるのに対し，引用発明は，変調後のデータであり，ストリームであることが明らかにされていない点。
（相違点２）
　一致点の「分割するステップ」に関し，本願発明は，「該出力されるサブストリームのそれぞれ」は「且つ該それぞれのスペクトル・フラグメントの帯域幅と比例するデータ転送速度を有」するとの構成を有するのに対し，引用発明は当該構成を有していない点。
（相違点３）
　一致点の「変調するステップ」に関し，本願発明は，分割後に「前記それぞれのスペクトル・フラグメントを介しての伝送に適合されている変調された信号を提供するために，前記出力されるサブストリームのそれぞれを変調するステップ（４３０）」であるのに対し，引用発明は，分割前に「送信データを変調」する点。
（相違点４）
　一致点の「キャリア信号のスペクトル・フラグメントへと周波数コンバートするステップ」に関し，本願発明は「前記変調された信号を少なくとも１つのキャリア信号のそれぞれのスペクトル・フラグメントへとアップコンバートするステップ（４４０）」であるのに対し，引用発明は「逆フーリエ変換し」たものを「所定の周波数帯に周波数変換」する点。
（相違点５）
　上記相違点１〜４に起因して，一致点の「前記周波数コンバートされた信号は，前記データを回復するために，受信機で復調および組み合わせられるように適合されている」に関し，本願発明は「前記アップコンバートされた変調済みの信号内に含まれるサブストリームは，前記データ・ストリームを回復するために，受信機で復調および組み合わせられるように適合されている」のに対し，引用発明はそのようなものではない点。
（３）判断
　まず，相違点３について検討する。
　本願発明は，「前記それぞれのスペクトル・フラグメントを介しての伝送に適合されている変調された信号を提供するために，前記出力されるサブストリームのそれぞれを変調する」ものであるから，「変調するステップ」は，必ず，「分割するステップ」にて，サブストリームに分割され，それぞれのスペクトル・フラグメントに割り当てられた後に，なされるものであり，各サブストリームの変調方式は異なり得るものである。
　一方，引用発明は，送信信号を分割前に変調するものであるから，「前記それぞれのスペクトル・フラグメントを介しての伝送に適合されている変調された信号を提供する」ことは想定しておらず，分割された各データの変調方式は共通であって異なるものとすることは不可能である。
　ここで，「ＯＦＤＭを用いた送信において，送信信号を分割した後に，変調する。」ことは周知事項ではあるが，引用文献２，３をみても，ＢＰＳＫ，ＱＰＳＫ，ＱＡＭ等のうちのいずれかの変調方式が分割された各データに共通に適用されているものと解され，「前記それぞれのスペクトル・フラグメントを介しての伝送に適合されている変調された信号を提供する」ものではなく，そのようにする動機付けも一切見出せない。
　したがって，上記周知事項を考慮しても，相違点３を容易になし得たとすることはできない。
　よって，その余の相違点について判断するまでもなく，本願発明は，当業者が引用発明に基づいて周知技術を参酌して容易に発明をすることができたとはいえない。
（４）小括
　以上のとおり，本願発明は，当業者が引用発明に基づいて周知技術を参酌して容易に発明をすることができたとはいえない。
　また，本願の請求項５，８に係る発明は，本願発明を別のカテゴリーで表現するものであり，同様に，当業者が引用発明に基づいて周知技術を参酌して容易に発明をすることができたとはいえない。
　また，請求項２〜４に係る発明，請求項６，７に係る発明は，それぞれ本願発明，請求項５に係る発明を更に限定したものであるので，同様に，当業者が引用発明に基づいて周知技術を参酌して容易に発明をすることができたとはいえない。
　よって，原査定の理由によっては，本願を拒絶することはできない。
第４　当審拒絶理由について
１　当審拒絶理由の概要
　当審拒絶理由の概要は，以下のとおりである。
理由１　（サポート要件及び明確性）この出願は，特許請求の範囲の記載が下記の点で，特許法第３６条第６項第１号及び第２号に規定する要件を満たしていない。 
理由２　（実施可能要件）この出願は，発明の詳細な説明の記載が下記の点で，特許法第３６条第４項第１号に規定する要件を満たしていない。 
 　　　　　　　　　　　　　　　　　記 
［理由１について］ 
（１）「入来するデータ・ストリーム」の記載では，当該データ・ストリームが１人のユーザに係るデータ・ストリームなのか否か不明確であるため，「複数のスペクトル・フラグメントのそれぞれのスペクトル・フラグメントに関連」する「出力されるサブストリーム」が１人のユーザに係るデータ・ストリームなのか否か不明確であり，必ずしも図２の態様が示されていないことから，発明の技術的範囲が不明確であるとともに，発明の裏付けも不明確になっている。 
（２）「それぞれのスペクトル・フラグメントの帯域幅と互換性をもつデータ転送速度を有し」（請求項１，６，１０）について，発明の詳細な説明を参酌しても，何をもって「スペクトル・フラグメントの帯域幅と互換性をもつデータ転送速度」と言い得るのか不明確であるため，これらの請求項に係る発明及びこれらの請求項を引用する各請求項に係る発明の技術的範囲が不明確である。また，発明の詳細な説明の裏付けも不明確である。請求項２の同様の記載についても同様である。 
（３）各請求項の記載では，前提となるスペクトル・フラグメントの構成及びスペクトル・フラグメントの割り当て動作が不明確であり，「前記複数のスペクトル・フラグメントには含まれない割り当てられたスペクトル・フラグメント」は，何に対して「割り当てられた」ものか不明確である共に，「複数のスペクトル・フラグメント」との関係も不明確である。 
（４）請求項２の記載は，日本語としても技術的にも意味不明であり，また，発明の詳細な説明に記載されたものでもない。 
（５）請求項８は，請求項７を介して請求項６を引用しているが，ランダムなルーティング・アルゴリズム及びラウンド・ロビン・ルーティング・アルゴリズムでは，請求項６に補正により限定された「前記複数のスペクトル・フラグメントの内の少なくとも１つのスペクトル・フラグメントは，前記複数のスペクトル・フラグメントには含まれない割り当てられたスペクトル・フラグメントによって前記複数のスペクトル・フラグメントの他のいずれのスペクトル・フラグメントからも分離される不連続スペクトル・ブロックである」となることは保証されないから，技術的に矛盾している。 
（６）請求項９の「それぞれの重み」は，「それぞれ」が何か不明確であり，また，「重みと関連している」「各サブストリーム」とは，マスター・スケジューラが出力する（ルーティングする）サブストリームなのか，マスター・スケジューラがエンカプスレータから入力するサブストリームなのか不明確であるため，「各サブストリームは，それぞれの重みと関連している」の記載は，日本語としても技術的にも意味不明である。 
［理由２について］ 
　上記［理由１について］（４），（５）のとおりであり，発明の詳細な説明を見ても，請求項２及び請求項８に係る発明を実施し得る程度に開示がなされていない。 
２　当審拒絶理由の判断
（１）平成２８年１１月２５日付けの手続補正によって，請求項１，６，１０の「入来するデータ・ストリーム」が，補正後の請求項１，５，８の「入来するある特定のユーザのデータ・ストリーム」に補正された。このことにより，「複数のスペクトル・フラグメントのそれぞれのスペクトル・フラグメントに割り当てられる」「出力されるサブストリーム」が，１人のユーザに係るデータであることが明確となり，図２の態様とも整合することとなった。
　よって，理由１（１）は解消した。
（２）平成２８年１１月２５日付けの手続補正によって，請求項１，６，１０の「該それぞれのスペクトル・フラグメントの帯域幅と互換性をもつデータ転送速度を有し」が，補正後の請求項１，５，８の「該それぞれのスペクトル・フラグメントの帯域幅と比例するデータ転送速度を有し」に補正された。このことにより，記載内容が明確となり，また，発明の詳細な説明の記載とも整合することとなった。
　よって，理由１（２）は解消した。
（３）平成２８年１１月２５日付けの手続補正によって，請求項１，６，１０の「複数のスペクトル・フラグメントのそれぞれのスペクトル・フラグメントに関連し，且つ該それぞれのスペクトル・フラグメントの帯域幅と互換性をもつデータ転送速度を有し，前記複数のスペクトル・フラグメントの内の少なくとも１つのスペクトル・フラグメントは，前記複数のスペクトル・フラグメントには含まれない割り当てられたスペクトル・フラグメントによって前記複数のスペクトル・フラグメントの他のいずれのスペクトル・フラグメントからも分離される不連続スペクトル・ブロックである」が，補正後の請求項１，５，８の「該出力されるサブストリームのそれぞれは，複数のスペクトル・フラグメントのそれぞれのスペクトル・フラグメントに割り当てられ，且つ該それぞれのスペクトル・フラグメントの帯域幅と比例するデータ転送速度を有し，前記複数のスペクトル・フラグメントの内の少なくとも１つのスペクトル・フラグメントは，既に他のユーザに割り当てられ，前記出力されるサブストリームを割り当てられないスペクトル・フラグメントによって前記複数のスペクトル・フラグメントの他のいずれのスペクトル・フラグメントからも分離される不連続スペクトル・ブロックである」に補正された。このことにより，記載内容が明確となり，また，発明の詳細な説明の記載とも整合することとなった。
　よって，理由１（３）は解消した。
（４）平成２８年１１月２５日付けの手続補正によって，請求項２，８が削除された。このことにより，理由１（４），（５）及び理由２の対象が存在しないこととなった。
　よって，理由１（４），（５）及び理由２は解消した。
（５）平成２８年１１月２５日付けの手続補正によって，請求項９の「それぞれの重みと関連している」が，補正後の請求項７「それぞれ対応する各スレーブ・スケジューラの重みと関連している」に補正された。このことにより，記載内容が明確となった。
　よって，理由１（６）は解消した。
第５　むすび
　以上のとおり，原査定の理由によっては，本願を拒絶することはできない。
　また，他に本願を拒絶すべき理由を発見しない。
　よって，結論のとおり審決する。